(57)【特許請求の範囲】
【請求項１】
複数の電話機による電話通信を制御し、前記複数の電話機を、インターネット網に接続するローカルネットワークを介して接続した主電話制御装置において、
前記複数電話機に個別にプライベートな前記ＩＰアドレスを割り当てるＩＰアドレス割り当て回路と、前記ＩＰアドレス割り当て回路により割り当てられた前記ＩＰアドレスをニックネーム毎に前記電話機の内線番号とともに記憶する記憶手段とを含み、前記複数電話機に個別にプライベートなＩＰアドレスを割り当てるとともに、前記電話機に個別のニックネーム毎に前記ＩＰアドレスを前記内線番号とともに管理し、さらに割り当てられた前記ＩＰアドレスを前記電話機に通知する管理回路と、
前記ＩＰアドレスを利用して前記電話機との間の通信及び前記インターネット網との間の通信を制御するための制御回路と、
前記電話機からの登録要求メッセージを受信する受信手段と、
を含み、前記ニックネームは、前記電話機に共通に使用され前記インターネット網に登録されたグローバルなドメイン名と識別情報とを有し、前記ニックネームの前記識別情報は、ユーザ識別部と前記電話機の内線番号を示す内線番号識別部とを有し、前記登録要求メッセージは、前記ニックネームを含み、
前記制御回路は前記受信手段を介して受信した前記登録要求メッセージ中の前記ニックネーム及び当該ニックネームに含まれる内線番号を前記電話機のＩＰアドレスに対応して前記記憶手段に格納するよう制御することを特徴とする主電話制御装置。
【請求項２】
前記登録要求メッセージが前記ニックネームの代わりに前記ユーザ識別部を含むことを特徴とする請求項１に記載された主電話制御装置。
【請求項３】
前記登録要求メッセージが前記ニックネームの代わりに前記内線番号を含むことを特徴とする請求項１に記載された主電話制御装置。
【請求項４】
前記記憶手段は、前記ニックネーム毎に前記ＩＰアドレスと前記電話機の内線番号と通信の履歴情報とを記憶することを特徴とする請求項１または２に記載された主電話制御装置。
【請求項５】
前記複数の電話機の中の発信側電話機から相手電話機の前記ニックネームか前記ユーザ識別部か前記内線番号識別部を含む接続要求メッセージを受信する受信手段をさらに含み、前記制御回路は、前記接続要求メッセージ中の前記ニックネームか前記ユーザ識別部の情報か前記内線番号識別部の内線番号に基づき前記記憶手段から前記相手電話機の前記ＩＰアドレスを取得し、前記発信側電話機と前記相手電話機との通話を行うよう制御することを特徴とする請求項１乃至４のいずれか一つに記載された主電話制御装置。
【請求項６】
前記インターネット網を経由して発信側の電話機から相手電話機の前記ニックネームか前記ユーザ識別部か前記内線番号識別部を含む接続要求メッセージを受信する受信手段を含み、前記制御回路は、接続要求メッセージ中の前記ニックネームか前記ユーザ識別部の情報か前記内線番号識別部の内線番号に基づき前記記憶手段から前記相手電話機の前記ＩＰアドレスを取得し、前記発信側電話機と前記相手電話機との通話を行うよう制御することを特徴とする請求項１乃至４のいずれか一つに記載された主電話制御装置。
【請求項７】
前記受信手段は、前記ローカルネットワークのインタフェース回路と、前記登録要求メッセージを認識する回路とを有することを特徴とする請求項１乃至４のいずれか一つに記載された主電話制御装置。
【請求項８】
前記受信手段は、前記ローカルネットワークのインタフェース回路と、前記接続要求メッセージを認識する回路とを有することを特徴とする請求項５または６に記載された主電話制御装置。
【請求項９】
前記ニックネームを入力する入力手段をさらに含み、前記制御回路は前記入力手段から入力された前記ニックネームを前記記憶手段に格納するよう制御することを特徴とする請求項１に記載された主電話制御装置。
【請求項１０】
さらに前記記憶手段に記憶された前記ＩＰアドレスに対する前記ニックネームの対応テーブルを前記インターネット網を介して他の通信装置に転送するための通信回路を含むことを特徴とする請求項１に記載された主電話制御装置。
【請求項１１】
複数の電話機と、前記複数の電話機による電話通信を制御し、前記複数の電話機を、インターネット網に接続するローカルネットワークを介して接続した主電話制御装置とを有する電話通信装置において、
前記主電話制御装置は、
前記複数電話機に個別にプライベートな前記ＩＰアドレスを割り当てるＩＰアドレス割り当て回路と、前記ＩＰアドレス割り当て回路により割り当てられた前記ＩＰアドレスをニックネーム毎に前記電話機の内線番号とともに記憶する記憶手段とを含み、前記複数電話機に個別にプライベートなＩＰアドレスを割り当てるとともに、前記電話機に個別のニックネーム毎に前記ＩＰアドレスを前記内線番号とともに管理し、さらに割り当てられた前記ＩＰアドレスを前記電話機に通知する管理回路と、
前記ＩＰアドレスを利用して前記電話機との間の通信及び前記インターネット網との間の通信を制御するための制御回路と、
前記電話機からの登録要求メッセージを受信する受信手段と、
を含み、前記ニックネームは、前記電話機に共通に使用され前記インターネット網に登録されたグローバルなドメイン名と識別情報とを有し、前記識別情報は、ユーザ識別部と前記電話機の内線番号を示す内線番号識別部とを有し、前記登録要求メッセージは、前記ニックネームを含み、
前記制御回路は前記受信手段を介して受信した前記登録要求メッセージ中の前記ニックネーム及び当該ニックネームに含まれる内線番号を前記電話機のＩＰアドレスに対応して前記記憶手段に格納するよう制御することを特徴とする電話通信装置。
【請求項１２】
前記各電話機は、前記制御回路により、割り当てられた前記ＩＰアドレスを記憶する手段を有することを特徴とする請求項１１に記載された電話通信装置。
【請求項１３】
前記電話機は、前記ニックネームの登録時に、前記登録要求メッセージを前記主電話制御装置に送信する手段を有することを特徴とする請求項１１または１２に記載された電話通信装置。
【請求項１４】
前記電話機は、相手電話機との接続時に、相手電話機に対応する前記ニックネームか前記ユーザ識別部か前記内線番号識別部を付加した接続要求のためのパケットを前記主電話制御装置に送信する手段を有することを特徴とする請求項１１，１２または１３に記載された電話通信装置。
【請求項１５】
複数の電話機による電話通信を制御し、前記複数の電話機を、インターネット網に接続するローカルネットワークを介して接続した主電話制御装置によって、前記複数の電話機に対するＩＰアドレスを設定し管理する方法において、
前記複数電話機に個別にプライベートなＩＰアドレスを割り当て、前記電話機に個別のニックネーム毎に前記ＩＰアドレスを前記電話機の内線番号とともに管理することを特徴とし、
前記ニックネームに、前記電話機に共通に使用され前記インターネット網に登録されたグローバルなドメイン名と識別情報とを使用し、前記識別情報は、ユーザ識別部と前記電話機の内線番号を示す内線番号識別部とを有し、
前記複数電話機に個別にプライベートなＩＰアドレスを割り当てるとともに、前記電話機に個別のニックネーム毎に前記ＩＰアドレスを前記内線番号とともに管理し、さらに割り当てられた前記ＩＰアドレスを前記電話機に通知し、
前記電話機から登録要求メッセージを受信すると、該登録要求メッセージ中の前記ニックネーム及び当該ニックネームに含まれる内線番号を前記電話機のＩＰアドレスに対応させて管理するようにしたことを特徴とするＩＰアドレスの管理方法。
【発明の詳細な説明】
【０００１】
【発明の属する技術分野】
本発明は、インターネット網に接続可能なボタン電話装置に関し、特にローカルエリアネットワーク（ＬＡＮ）やＩＳＤＮなどのネットワークに接続された複数の電話機とそれら電話機を制御する主電話制御装置とを有する電話通信装置と、その電話通信装置において複数の内線電話機に対してＩＰアドレスを設定し管理する方法に関する。
【０００２】
【従来の技術】
近年、インターネット網を経由して電話通信を可能とする、いわゆるＩＰ電話機が開発されている。インターネットによる電話通信では、従来の回線交換網による回線交換手順とは異なり、インターネットに適用したＴＣＰ／ＩＰ（トランスファ・コントロール・プロトコル／インターネットプロトコル）に基づく通信が実行され、ＩＰ電話機は、そのプロトコルに基づいて動作する。すなわち、発信側ＩＰ電話機は、ＩＰによりパケット化された情報により発信、着信先ＩＰ電話機間で通話を行う。
【０００３】
また、インターネットによる通信では、送信先ＩＰアドレスを指定してパケットを送る必要があり、発信側ＩＰ電話機は着信先ＩＰ電話機に対し、送信先（着信先）ＩＰアドレスを指定して接続要求する。
【０００４】
一方で、ＩＰ電話機間で直接にインターネット通信を行うには、インターネット網に、すべてのＩＰ電話機に割り当てられるＩＰアドレスが管理されていなければならない。ＩＰアドレスは、全世界でただ１つのグローバルＩＰアドレスとして登録されたものでなければならない。
【０００５】
しかし、インターネット端末数の増加により登録すべきＩＰアドレスが足らなくなると言うＩＰアドレスの枯渇の問題や、ＩＰアドレスが増えることによるＩＰアドレスの登録管理の面倒さの問題があり、ＩＰアドレスがすべてのＩＰ電話機に割り当てられることが困難となってくる課題が生じる。
【０００６】
たとえば、複数のＩＰ電話機がＬＡＮを経由してインターネット網に接続される場合、ＬＡＮ内のすべてのＩＰ電話機がインターネット網を経由して通信を行うには、すべてのＩＰ電話機毎に個別のＩＰアドレス（グローバルＩＰアドレス）が設定される。しかし、この場合には上記のようなＩＰアドレス枯渇の問題が生じる。
【０００７】
これに対処するため、ＬＡＮ内の各ＩＰ電話機にグローバルＩＰアドレスでないプライベートＩＰアドレスを付与してＬＡＮ内で管理する方法がある。この場合、ネットワーク・アドレス・トランスレータ（ＮＡＴ）をＬＡＮとインターネット網との間に接続し（正確にはＮＡＴの機能を有するルータを接続し）、各ＩＰ電話機に割り当てたプライベートＩＰアドレスをインターネットに接続するためのグローバルＩＰアドレスに変換する機能をＮＡＴに持たせることである。
【０００８】
【発明が解決しようとする課題】
通常、ＮＡＴを有するルータは、外部から内部インフラ（ＬＡＮ）の端末に直接にアクセスされないようセキュリティーを確保するためのファイアーウォールとなっている。したがって、ＮＡＴの利用によりＬＡＮ内のＩＰ電話機から外部のＩＰ電話機へ直接にアクセスすることは可能であるが、ＬＡＮの外側の網のＩＰ電話機からＬＡＮ内のＩＰ電話機に直接にアクセスできない。
しかし、相手発信者によっては、直接にＬＡＮ内のＩＰ電話機に着信させても良い場合があるが、従来はそれができない。また、発信者が送信先アドレスとしてＬＡＮ内のＩＰ電話機のプライベートＩＰアドレスを知っていたとしても、それはインターネット網に登録されていないアドレスであるので、インターネット通信することはできない。
【０００９】
また、ＬＡＮを介して複数のＩＰ電話機を内線電話機として収容する場合に、ＬＡＮおよびＩＰの知識が必要で、そのような知識がある人しかＩＰ電話機をＬＡＮに接続することができないという問題があった。
本発明の第１の目的は、複数の電話機とそれらを制御する主電話制御装置から成りＩＰアドレス（グローバルＩＰアドレス）の枯渇を防止できる電話通信装置およびその主電話制御装置を提供することにある。
【００１０】
本発明の第２に目的は、特にＬＡＮやＩＰの知識が無くても電話機を接続できる主電話制御装置を提供することにある。
【００１１】
本発明の第３の目的は、第１及び第２の目的を達成できるよう、主電話制御装置により複数の電話機のＩＰアドレスを設定し管理する方法を提供することにある。
【００１２】
本発明の第４の目的は、電話機毎にグローバルＩＰアドレスを設定しなくてもインターネット網から電話通信装置の各電話機に直接にアクセスすることを可能にした電話通信装置およびその主電話制御装置を提供することにある。
【００１３】
【課題を解決するための手段】
本発明による主電話制御装置は、複数の電話機による電話通信を制御し、前記複数の電話機を、インターネット網に接続するローカルエリアネットワークを介して接続する。その構成は、前記複数電話機に個別にプライベートなＩＰアドレスを割り当てるＩＰアドレス割り当て回路（図１、図７の１２２）と、前記ＩＰアドレス割り当て回路により割り当てられた前記ＩＰアドレスをニックネーム毎に前記電話機の内線番号とともに記憶する記憶手段（図１、図７の１３０）とを含み、前記複数電話機に個別にプライベートなＩＰアドレスを割り当てるとともに、前記電話機に個別のニックネーム毎に前記ＩＰアドレスを前記内線番号とともに管理し、さらに割り当てられた前記ＩＰアドレスを前記電話機に通知する管理回路（図１、図７の１２２，１３０）と、前記ＩＰアドレスを利用して前記電話機との間の通信及び前記インターネット網との間の通信を制御するための制御回路（図１、図７の１２２，１３０）と、前記電話機からの登録要求メッセージを受信する受信手段と、を含み、前記ニックネームは、前記電話機に共通に使用され前記インターネット網に登録されたグローバルなドメイン名と前記電話機を識別するための識別情報とを有し、前記識別情報は、ユーザ識別部と前記電話機の内線番号を示す内線番号識別部とを有し、前記登録要求メッセージは、前記ニックネームを有し、前記制御回路は受信した前記登録要求メッセージ中の前記ニックネーム及び当該ニックネームに含まれる内線番号を前記電話機のＩＰアドレスに対応して前記記憶手段に格納するよう制御することを特徴とする。
【００１４】
本発明は、各内線電話機のニックネームとして主電話制御装置に割り当てられたグローバルなドメイン名を利用し、また主電話制御装置は内線電話機個別にそのドメイン名を含むユニークなニックネームと対応づけてＩＰアドレスを管理する。
【００１５】
このようにニックネームにグローバルなドメイン名を有することにより外部からアドレス検索ができ、この効果でインターネットを介した通話時の相手探しが容易になる。本発明は、またＩＰアドレスの枯渇の防止にもなる。
【００１８】
また、ユーザ識別部と前記電話機の内線番号をニックネームの代わりに指定してＩＰアドレスを管理できる。
【００１９】
一方、本発明による電話通信装置は、複数の電話機と、前記複数の電話機による電話通信を制御し、前記複数の電話機を、インターネット網に接続するローカルネットワークを介して接続した主電話制御装置とを有する。主電話制御装置は、前記複数電話機に個別にプライベートな前記ＩＰアドレスを割り当てるＩＰアドレス割り当て回路と、前記ＩＰアドレス割り当て回路により割り当てられた前記ＩＰアドレスをニックネーム毎に記憶する記憶手段とを含み、前記複数電話機に個別にプライベートなＩＰアドレスを割り当てるとともに、前記電話機に個別のニックネーム毎に前記ＩＰアドレスを管理し、さらに割り当てられた前記ＩＰアドレスを前記電話機に通知する管理回路と、前記ＩＰアドレスを利用して前記電話機との間の通信及び前記インターネット網との間の通信を制御するための制御回路と、前記電話機からの登録要求メッセージを受信する受信手段と、を含む。
【００２０】
さらに前記ニックネームは、前記電話機に共通に使用され前記インターネット網に登録されたグローバルなドメイン名と前記電話機を識別するための識別情報とを有することを特徴とする。また、前記ニックネームの前記識別情報は、ユーザ識別部と前記電話機の内線番号を示す内線番号識別部とを有する。さらに、前記登録要求メッセージは、前記ユーザ識別部及び／又は内線番号識別部を有している。そして、前記制御回路は受信した前記登録要求メッセージ中の前記ニックネーム及び当該ニックネームに含まれる内線番号を前記電話機のＩＰアドレスに対応して前記記憶手段に格納するよう制御する。
【００２１】
また、本発明によるＩＰアドレスの管理方法は、複数の電話機による電話通信を制御し、前記複数の電話機を、インターネット網に接続するローカルネットワークを介して接続した主電話制御装置によって、前記複数の電話機に対するＩＰアドレスを設定し管理する方法である。
【００２２】
その特徴は、前記複数電話機に個別にプライベートなＩＰアドレスを割り当て、前記電話機に個別のニックネーム毎に前記ＩＰアドレスを前記電話機の内線番号とともに管理し、前記ニックネームに、前記電話機に共通に使用され前記インターネット網に登録されたグローバルなドメイン名と前記電話機を識別するための識別情報とを使用し、前記識別情報は、ユーザ識別部と前記電話機の内線番号を示す内線番号識別部とを有し、前記複数電話機に個別にプライベートなＩＰアドレスを割り当てるとともに、前記電話機に個別のニックネーム毎に前記ＩＰアドレスを前記内線番号とともに管理し、さらに割り当てられた前記ＩＰアドレスを前記電話機に通知し、前記電話機からの登録要求メッセージを受信すると、該登録要求メッセージ中の前記ニックネーム及び当該ニックネームに含まれる内線番号を前記電話機のＩＰアドレスに対応させて管理することにある。
【００２３】
【発明の実施の形態】
次に、本発明の実施の形態について図面を参照して詳細に説明する。
【００２４】
図１は本発明の電話通信装置の実施の形態を示すブロック図である。ここでは電話通信装置が、複数の内線電話機を収容するボタン電話装置であることを想定する。
【００２５】
図１に示すように、ボタン電話装置は、ローカルエリアネットワーク（ＬＡＮ）１に接続された電話機２００、２０１とそれら電話機を制御する主電話制御装置１００とを有する。ＬＡＮ１には、１０ＢＡＳＥ−Ｔや１００ＢＡＳＥ−ＴＸ等の周知のＬＡＮが使用される。
【００２６】
ルータ３はＬＡＮ１とインターネット網２との間に接続された、周知のファイアーウォールである。電話機２００、２０１は、主電話制御装置１００に収容される、いわゆる内線電話機であるが、ＬＡＮの通信機能を持っている。内線電話機の個数は図１のように２つに限定せず、それ以上でも良い。
【００２７】
本発明の実施の形態は、主電話制御装置１００が電話機２００、２０１に個別のニックネームに対してＩＰアドレスや内線番号の管理を行う。
【００２８】
ニックネームには、（呼称）（電話番号）＠（ドメイン名）の順で配列した、たとえば、「ｋｏｂａｙａｓｈｉ１００＠ｓｏｈｏ−ｉｐ．ａｂｃ．ｃｏ．ｊｐ」が使用される。ここで、呼称「ｋｏｂａｙａｓｈｉ」は各電話機の利用者の呼称、電話番号「１００」は電話機の内線番号、ドメイン名「ｓｏｈｏ−ｉｐ．ａｂｃ．ｃｏ．ｊｐ」は主電話制御装置１００のドメイン名である。
【００２９】
電話機のニックネーム中のそのドメイン名は、グローバルＩＰアドレス（世界的にユニークなアドレス）としてインターネット網に登録されるものが使用される。ドメイン名以外の呼称及び内線番号の部分は、電話機を識別するための識別情報である。
このように本発明の実施の形態は、電話機２００、２０１のニックネームとして主電話制御装置１００に割り当てられたグローバルなドメイン名を利用し、また主電話制御装置１００は電話機個別にそのドメイン名と識別情報からなるニックネームと対応づけてＩＰアドレスを管理する。
【００３０】
したがって、主電話制御装置１００でニックネーム毎にＩＰアドレスが割り当てられ、管理されるから、ＬＡＮやＩＰのコードを知らなくても、ニックネームによって電話機の管理ができる。
【００３１】
また、ニックネームにグローバルなドメイン名を有することにより外部からアドレス検索ができ、この効果でインターネットを介した通話時の相手探しが容易になる。
【００３２】
すなわち、主電話制御装置１００は、グローバルなドメイン名を含むニックネームで電話機のＩＰアドレスを管理するので、インターネット網側からはドメイン名から電話機を検索することができる。
【００３３】
また、インターネットを経由した外部の発信者は、ニックネームによって通話相手を指定すること（電話機２００、２０１を個別に指定すること）で、ニックネーム中のグローバルなドメイン名でインターネット網に接続できる。
【００３４】
本発明の実施の形態では、インターネット網に電話機毎にグローバルＩＰアドレスを設定する必要が無く、主電話制御装置１００のグローバルＩＰアドレス（ドメイン名）のみを登録すればよいので、ＩＰアドレスの枯渇に対応できる。
次に図１の構成について説明する。図１において、主電話制御装置１００は、ＬＡＮ上の電話機２００と電話機２０１をＬＡＮインタフェース（Ｉ／Ｆ）回路１２０を介して内線収容する。
【００３５】
さらに、主電話制御装置１００は、インターネット通信のためのＴＣＰ／ＩＰの各プロトコルを実行し電話通信全体を制御する制御回路１１０と、制御回路１１０の指示で電話機２００、２０１毎のＩＰアドレス（このＩＰアドレスはプライベートＩＰアドレス）を割り当てるＩＰアドレス割り当て回路１２２と、ＬＡＮ１から受信されるＩＰパケットのヘッダを解析するヘッダ解析回路１２１と、電話機毎のニックネームに対するプライベートＩＰアドレスと内線番号の対応関係を記憶する内線テーブル１３１を含むメモリ回路１３２とを有する。
【００３６】
電話機２００、２０１は、ＬＡＮ１に対するインタフェース回路の他、主電話制御装置１００のＩＰアドレス割り当て回路１２２によって割り当てられたＩＰアドレスを受信して記憶する手段、主電話制御装置１００から通知される内線テーブルを記憶する手段、ニックネームまたは呼称（ユーザ識別部）または内線番号を発生し主電話制御装置１００に通知する手段を有する。電話機２００、２０１は、ニックネームを通知するとき、予め定めたヘッダ後にニックネーム付けてＩＰパケットを構成し主電話制御装置１００に送信する。
【００３７】
（ＩＰアドレス割り当て動作（その１））：
電話機２００（または２０１）がＬＡＮ１に接続されるときに、ＬＡＮの通信プロトコルにより主電話制御装置１００との間で同期が確立すると、ＬＡＮインタフェース回路１２０でそれが検出され、制御回路１１０に通知される。
【００３８】
これにより制御回路１１０は、非動作状態であった電話機２００が動作状態になったことを検知し、ＩＰアドレス割り当て回路１２２にＩＰアドレス割り当て指示を出す。
【００３９】
その指示によりＩＰアドレス割り当て回路１２２は、新しく動作状態になった電話機２００に対するＩＰアドレス（「ＸＸＸ．ＸＸＸ．ＸＸＸ．００１」（Ｘは任意の数）のようなプライベートＩＰアドレス）を発生し、それを制御回路１１０に送る。この場合、ＩＰアドレスは、電話機が動作状態から非動作状態になる毎にＩＰアドレス割り当て回路１２２により自動的に採番され新しいＩＰアドレスとして設定される。
【００４０】
次に制御回路１１２は、電話機２００に割り当てたＩＰアドレスを予め記憶された電話機２００のニックネームと対応づけ、内線番号と共に図２に示す内線テーブル１３１に登録する。
【００４１】
さらに制御回路１１０は、割り当てられたＩＰアドレス（図２中のＩＰアドレス）を内線番号とニックネームと共にＬＡＮインタフェース回路１２０を介して電話機２００に通知する。これにより電話機２００は新しく設定されたＩＰアドレスを自電話機の送信元ＩＰアドレスとして記憶し、それに対応する内線番号とニックネームも記憶する。
【００４２】
なお、主電話制御装置１００は、ＩＰアドレスだけを電話機２００に通知しても良い。
【００４３】
以上のように、電話機２００がＬＡＮ１に接続されて動作状態になる毎に、主電話制御装置１００が電話機２００に新しいＩＰアドレス（プライベートＩＰアドレス）を割り当て記憶し、さらにそれを通知することで、各電話機に対するＩＰアドレスの自動割り当てが完了する。
【００４４】
自動割り当てにあたり、あらかじめさだめたユニークな番号順に自動割り当ての内線番号が割り当てられても良い。たとえば、ｍａｃアドレスの若い順にソートして内線番号を割り当てても良い。ネームのアイウエオ順にソートして内線番号を割り当てても良い。
【００４５】
ここで、主電話制御装置１００の内線テーブル１３１に予めニックネームが記憶されていない場合、ＩＰアドレスを割り当てるときにＩＰアドレス割り当て回路１２２は電話機２００に対するニックネームとして、たとえば、入力回路１２３によって入力されて発生したものを使用する。入力回路１２３は、キーボードやマウスなどの入力手段の他、コンピュータでも良い。
【００４６】
この実施の形態では、電話機をＬＡＮ１上で移動させても、自動的にＩＰアドレスが割り当てられそれがニックネーム毎に内線テーブル内に書き込まれるので、その電話機使用者の電話機としていつでも使用できる。
【００４７】
（ＩＰアドレス割り当て動作（その２））：
本発明の実施の形態では、ニックネームを入力回路２５０だけでなく、電話機２００、２０１で発生し図２の内線テーブル１３１に登録させることもできる。
【００４８】
この場合、電話機２００（または２０１）は、ニックネームの登録要求を発生する。ここで、ニックネームの登録要求の発生は、電話機の操作パネルの入力回路からの信号でも、主電話制御装置１００が前述のＩＰアドレス割り当て動作でＩＰアドレスを通知してきたときでも良い。あるいは、登録要求が一定時間毎に電話機内で発生するものでも良い。
【００４９】
あるいは、電源投入時に登録要求する、ニックネーム設定時に登録要求するものでも良い。また、停電時に一斉に登録要求すると、装置負荷が上がるので、ランダムに時差を発生させて要求の衝突を避ける機構を電話機が含んでいても良い。
【００５０】
電話機２００は、ニックネームの登録要求により予め記憶されたＩＰアドレスを送信元ＩＰアドレスとする図３に示すパケットを登録要求メッセージとして作成し、ＩＰパケットとして主電話制御装置１００に送信する。ここで、予め記憶されたＩＰアドレスとは、前述のＩＰアドレス割り当て動作（その１）において主電話制御装置１００から通知されたＩＰアドレスであってもよいが、インターネット網２のＤＨＣＰサーバからルータ３を経由して取り込んだＩＰアドレスであってもよい。
【００５１】
図３のパケットにおいて、ＩＰアドレス部３１０は主電話制御装置１００のローカルＩＰアドレスと送信元ＩＰアドレスを含み、予め定めたヘッダ部３１１は、ニックネーム登録を行うための登録要求などの識別情報、データ長などの制御情報を含む。
【００５２】
ニックネーム部３１２は、電話機２００内に予め記憶された、あるいは入力回路のボタン操作により発生し新たに設定されたニックネームである。ニックネーム部３１２は、電話機２００の使用者の呼称に対応するユーザ識別部３００と、電話機２００の内線番号に対応する内線番号識別部３０１と、主電話制御装置１００のグローバルＩＰアドレスのドメイン名に対応するドメイン名識別部３０２とが順次配列したものである。
【００５３】
図３に示すパケットがＬＡＮインタフェース回路１２０で受信されると、ヘッダ解析回路１２１は図３のヘッダ部３１１を持つパケットを検出し、そのパケットを制御回路１１０に送信する。
【００５４】
次に制御回路１１０は、図３に示すＩＰパケット（登録要求メッセージ）のＩＰアドレス部３１０内の発信元ＩＰアドレス（電話機２００のＩＰアドレス）とニックネーム部３１２を取り出し、そのＩＰアドレスを引数としてメモリ回路１３０内の内線テーブル１３１にニックネームと内線番号（ニックネームから取り出された番号）を上書き登録する。
【００５５】
これにより、本発明の実施の形態では、電話機からＩＰパケット（登録要求メッセージ）で通知されるニックネームにより主電話制御装置１００の内線テーブル１３１を書き換えることができる。
【００５６】
図３のニックネーム部３１２のうち、ドメイン名識別部３０２はグローバルなドメイン名であるためドメイン名が変化しない限り変えることができない。ユーザ識別部３００の呼称と内線番号識別部３０１の内線番号は自由に変えることができる。
【００５７】
また、電話機２００からニックネーム中の呼称または内線番号のみを変更したい場合、図３のＩＰパケット（登録要求メッセージ）中のニックネーム部３１２は、フルニックネームでなくても、ユーザ識別部３００のみ、あるいは内線番号識別部３０２のみでも良い。
この実施の形態では、電話機の配置変更等により使用者の電話機が変わっても、登録要求メッセージを電話機から送信することで、新たに設置された電話機のニックネームや内線番号をＩＰアドレスに対して内線テーブル１３１内に登録し直すことができる。
あるいは、電話機２００、２０１は、ＩＰアドレスが主電話制御装置１００から通知されたときに、自分のニックネームを登録要求メッセージにより送信し、内線テーブル１３１にニックネームを登録することも可能である。
【００５８】
また、電話機の故障により、別な電話機を購入しても、前の電話機に設定していたものと同一のニックネームを有する図３のパケットを主電話制御装置１００が電話機から受信することで、メモリ回路１３０の内線テーブル１３１に登録される。したがって、使用者にとって電話機の更新が容易になる。
【００５９】
また、電話機から自分のニックネームを指定して内線テーブル１３１に登録し直すことで自分の電話機として内線テーブルを書き換えることができる。この場合、複数の電話機について同一のニックネームあるいは同一の呼称（ユーザ識別部）を内線テーブル１３１に登録するようにすれば、複数の電話機を同一使用者の電話機として設定できる。
【００６０】
（電話機の履歴登録について）：
本発明の実施の形態では、メモリ回路１３０に電話機の通話履歴が登録される。通話履歴は、制御回路１１０によって作成される。
【００６１】
図１のメモリ部１３０の履歴情報テーブル１３２には、電話機２００、２０１のニックネーム毎に通話毎の通信相手、通話料や通話時間等の履歴情報が記憶される。図４は、その履歴情報を含む履歴情報テーブルを示し、履歴情報は、ニックネーム毎に履歴情報テーブル１３２に記憶されている。図４に示すように、電話機のＩＰアドレスと内線番号と合わせて記憶しても良い。
【００６２】
これにより電話機が移動することによりＩＰアドレス割り当て回路１２２がＩＰアドレスを変更しても、その電話機の履歴情報はニックネーム毎に常に管理され履歴情報テーブル１３２に記憶されるので、ＩＰアドレスの変更にかかわらず電話機毎（ニックネーム毎）に履歴管理ができる。
【００６３】
（内線通話動作について）：
次に、電話機２００から電話機２０１への発信通話動作を説明する。
【００６４】
最初、電話機２００は、どの電話と通信したいかを示す予め定めた第２のヘッダをもったＩＰパケットを接続要求メッセージとして発生する。
【００６５】
図５はこのとき電話機２００が発生するＩＰパケットを示す。このパケットは、パケット送信先の主電話制御装置１００のＩＰアドレスと電話機２００の送信元ＩＰアドレスとを有するＩＰアドレス部４１０と、電話発呼要求を示す予め定めた第２のヘッダ部４１１と、ニックネーム部４１２とを有する。ニックネーム部４１２は、接続先の電話機２０１の情報である。
【００６６】
そのニックネーム部４１２として、ユーザ識別部３００と内線番号識別部３０１とドメイン名識別部３０２とを有する第１のパターン、ユーザ識別部３００だけの第２のパターン、あるいは内線番号だけの第３のパターンのいずれのパターンでもよい。
【００６７】
電話機２００から予め定めた第２のヘッダをもった接続要求メッセージのパケット（図５）をＬＡＮインタフェース回路１２０を介して受信し、ヘッダ解析回路１２１は予め定めた第２のヘッダを有するパケット（接続要求メッセージ）の場合、ニックネーム部４１２から検出したニックネームかユーザ識別部か内線番号を制御回路１１０に届ける。
【００６８】
すなわち、受信した接続要求メッセージのニックネーム部４１２が第１のパターンの場合、ニックネームが制御回路１１０に送られ、第２のパターンの場合、ユーザ識別部３００の呼称が、また第３のパターンの場合、内線番号識別部３０１の内線番号がそれぞれ制御回路１１０に送信される。
【００６９】
制御回路１１０は、接続先電話機２０１のニックネームかユーザの呼称か内線番号に基づいて内線テーブル１３１に確認し、それぞれに対応する接続先電話機２０１のＩＰアドレスを内線テーブル１３１から取得する。もし、複数のＩＰアドレスに対して同じニックネームか呼称か内線番号が内線テーブル１３１から確認されると、それらに複数のＩＰアドレスを取得する。このとき、接続先電話機は複数となる。
【００７０】
取得したＩＰアドレスを送信先ＩＰアドレスとして、制御回路１１０は接続先電話機２０１に着信通知パケットをＩＰ（インターネットプロトコル）に基づいて作成し、ＬＡＮインタフェース回路１２０を介して接続先電話機２０１に送信し、電話機２０１を応答待ち状態（呼び出し音を鳴らすようにする）にする。
【００７１】
電話機２００は、電話機２０１の応答後にＲＴＰプロトコル（音声、画像データをリアルタイムで転送するための標準プロトコル）に基づいて通話を行う。
ＲＴＰプロトコルによる通話状態になると、音声を含む通話パケットが、電話機２００と電話機２０１との間で主電話制御装置１００を経由せずに直接にやりとりされる。この場合、各電話機は、送信先ＩＰアドレスを通話相手電話機のＩＰアドレスに設定することで音声のＩＰパケットを届ける。
【００７２】
以上のように、発信側電話機は、着信させたい相手電話機のニックネーム以外に、相手使用者の呼称、あるいは内線番号を指定し図５のＩＰパケット（接続要求メッセージ）の載せて送信することにより、通話できるので、発信形態が広がる。
【００７３】
（内線テーブルの転送）：
本発明の実施の形態では、内線テーブル１３１に登録された図２の内線テーブルを制御回路１１０が読み出し、ＬＡＮインタフェース回路１２０を介して電話機２００に転送することができる。これにより、電話機２００には、他の電話機に対応する内線テーブルが自動的に通知され記憶される。したがって、電話機２００は、他の電話機への内線発信時に送信先ＩＰアドレスとしてそのテーブルを利用することができる。
【００７４】
なお、図２の内線テーブルは、電話機からの内線テーブル転送要求のパケットをＬＡＮインタフェース回路１２０が受け付け、ヘッダ解析回路１２１がそのパケットを検出したとき制御回路１１０が内線テーブル１３１から読み出して電話機へ送信すると良い。
【００７５】
（電話機２００、２０１の構成）：
ここで、電話機２００、２０１の構成について説明する。図６は電話機２００（２０１）の構成を示すブロック図である。電話機２００（２０１）は、ＬＡＮ１に接続しＬＡＮの通信プロトコルを実行するＬＡＮインタフェース回路２１０と、ＴＣＰ／ＩＰを実行し全体を制御する制御回路２２０と、前述したＲＴＰプロトコルを制御するＲＴＰ制御回路２２１と、通話時の音声を扱う音声パケット変換回路２１１と、送話回路２１２と、受話回路２１３と、制御回路２２０に接続された記憶回路２３０と、操作回路２４０と、表示回路２５０とを有する。
【００７６】
音声パケット変換回路２１１は、送話回路２１２からの音声信号を符号化し、さらにパケット化して制御回路２２０に送る。また、制御回路２２０からの音声パケットを取り出し復号化して受話回路２１３に送る。
【００７７】
制御回路２２０は、ＴＣＰ／ＩＰに基づいて音声パケットや他の情報パケットをＩＰパケット化してＬＡＮインタフェース回路２１０に送り、また、ＬＡＮインタフェース回路２１０からのＩＰパケットを解析して所定の処理を行うよう各部を制御する。
【００７８】
たとえば、制御回路２２０は、主電話制御装置１００のＩＰアドレス割り当て部１２２によって割り当てられたＩＰアドレスや、内線番号、ニックネームを受信して記憶回路２３０に記憶する制御、主電話制御装置１００から通知される内線テーブルの情報を記憶回路２３０に記憶する制御を行う。また、割り当てられたＩＰアドレスやニックネームを表示回路２５０に表示させる機能も有する。
【００７９】
さらに、操作回路２４０のボタン操作、キーボード操作によりニックネームを発生すると、制御回路２２０はそのニックネームを主電話制御装置１００に通知するよう制御する。この場合、制御回路２２０は、予め定めたヘッダ後にニックネーム付けて図３または図５に示すパケットを構成し、ＬＡＮインタフェース回路２１０を介して主電話制御装置１００に送信させる。
【００８０】
また、着信通知パケットの検出により制御回路２２０は、呼び出し音をならす制御も行う。
【００８１】
（効果）：
以上説明したように本発明の実施の形態によれば、以下の効果が得られる。
【００８２】
（１）１台の主電話制御装置１００で複数の人にユニファイドサービスが提供できる。
【００８３】
（２）同じ電話機に対するＩＰアドレスが変わっても、利用者単位で正しい履歴や管理情報が残せる。
【００８４】
（３）１台の電話機に、１つのニックネームの場合、その電話機をネットワーク上で移動してもその人の電話として使える。
【００８５】
（４）電話機が故障して交換しても、同じニックネームを使うとユーザ単位の管理が継続できる。
【００８６】
（５）複数の電話機があって、席を移動しても、ニックネームを入れることで自分の電話機として使え、ユニファイドサービスの提供が受けられる。
【００８７】
（外部電話機との通話）：
本発明の実施の形態の特徴は、前述したように電話機２００、２０１のグローバルＩＰアドレスをインターネット網に登録しないで、インターネット網に接続する外部の電話機が電話機２００、２０１を指定して通話できることである。
【００８８】
ニックネームにグローバルなドメイン名を有することにより外部からアドレス検索ができ、この効果でインターネットを介した通話時の相手探しが容易になる。
【００８９】
ここで、外部電話機との通話動作について図７を参照して詳しく説明する。
【００９０】
図７は外部電話機との通話を説明するための本発明の実施の形態のブロック図である。
【００９１】
図７において、ＩＰ通信機能を有する電話機５１０がインターネット網２に接続されている。電話機５１０は、インターネット網２に直接接続されていても、ＬＡＮを経由して接続されていても良い。また、ダイヤルアップ接続のようにダイヤルアップにより一時的にインターネット網に接続されるものであっても良い。
【００９２】
ネームサーバ５０１は、ドメイン・ネーム・システム（ＤＮＳ）サーバやＣＨＡＴなどのＩＰアドレスおよびドメイン名を管理しているサーバでインターネット網２に接続されている。その他の構成は、図１と同様である。
【００９３】
電話機５１０は、ネームサーバ５０１から送信先装置のドメイン名を検索し受け取ることができる。
【００９４】
図８は電話機５１０から電話機２００に対し発信するときの電話機５１０、ネームサーバ５０１、ルータ３、主電話制御装置１００および電話機２００の動作シーケンスを示す図である。
【００９５】
最初、電話機５１０はインターネット網２を介してネームサーバ５０１をアクセスしアドレス要求を行う。これに対し、ネームサーバ５０１はＩＰアドレスを返し、電話機５１０は接続先のＩＰアドレスのドメイン名を検索する。なお、もし電話機５１０は接続先の電話機２００のニックネームを知っていればこの手順は不要である。
【００９６】
電話機５１０は、電話機２００のニックネームを入力すると、その中のドメイン名を取り出し、送信先ＩＰアドレスとし、接続要求のための第２のヘッダを有するＩＰパケットを接続要求メッセージとして作成して送信する。この場合、送信先ＩＰアドレスは、主電話制御装置１００のグローバルドメイン名「ｓｏｈｏ−ｉｐ．ａｂｃ．ｃｏ．ｊｐ」となる。
【００９７】
電話機２００のニックネーム「ｋｏｂａｙａｓｈｉ１００＠ｓｏｈｏ−ｉｐ．ａｂｃ．ｃｏ．ｊｐ」は、図５のＩＰパケットのニックネーム部４１２に挿入されて送信される。なお、電話機５１０は、ニックネーム部４１２に、フルニックネームでなく、ユーザ識別部３００のみ、内線番号識別部３０１のみを入れて送信しても良い。
【００９８】
接続要求メッセージであるＩＰパケットは、主電話制御装置１００に接続するルータ３に到達する。ルータ３は、ローカルアドレスで主電話制御装置１００を指定し、接続要求のＩＰパケットを送る。
【００９９】
そのＩＰパケットはＬＡＮインタフェース回路１２０を介して受信され、ヘッダ解析回路１２１はＩＰパケットの第２のヘッダによりそのパケットを検出し、ニックネーム部４１２から検出したニックネームかユーザ識別番号か内線番号を制御回路１１０に届ける。
【０１００】
制御回路１１０は、接続先電話機２０１のニックネームかユーザ識別部の呼称か内線番号に基づいて内線テーブル１３１に確認し、接続先電話機２００のＩＰアドレスを取得する。
【０１０１】
次に取得したＩＰアドレスを送信先ＩＰアドレスとして指定することで制御回路１１０は、接続先電話機２００に着信通知パケットをＩＰに基づいて作成し、ＬＡＮインタフェース回路１２０を介して通知する。これにより電話機２００の制御回路２２０（図６）が着信応答待ち状態になり、呼び出し音を鳴らす。
【０１０２】
これに対し、電話機２００が応答すると、その応答が制御回路１１０で検出され、ＬＡＮインタフェース回路１２０から発信元の電話機５１０にインターネット網２を通じて通知される。
【０１０３】
これにより電話機５１０は、音声を含む通話ＩＰパケットによる通話を行う。
【０１０４】
音声を含む通話ＩＰパケットは、電話機５１０と電話機２００との間で主電話制御装置１００のＬＡＮインタフェース回路１２０及び制御回路１１０を経由してやりとりされる。この場合、各電話機は、送信先ＩＰアドレスを相手電話機のＩＰアドレスに設定することで音声のパケットを届ける。
【０１０５】
なお、発信側電話機５１０は、着信先の電話機２００のニックネームを知らず設定できない場合、ネームサーバ５０１から検索したドメイン名をもとに、接続要求のＩＰパケット（図５）のニックネーム部４１２にドメイン名識別部（主電話制御装置１００のドメイン名）のみを付与して送信する。これにより、主電話制御装置１００の制御回路１１０は、そのドメイン名が電話機２００と２０１のニックネームとして共通に記憶されていることを認識するので、すべての電話機に着信通知パケットを送信する。この場合には、最初に呼び出しに応答した電話機が着信側となる。
【０１０６】
図８において、通話が終了すると、電話機５１０からＩＰ切断指令のパケットが送信され、回線切断動作に移行する。
【０１０７】
（第２の実施の形態）：
次に本発明の第２の実施の形態について図面を参照して詳細に説明する。
【０１０８】
図９は本発明の第２の実施の形態を示すブロック図である。本実施の形態のボタン電話装置の主電話制御装置３００と４００は、図１及び図７のボタン電話装置の主電話制御装置１００にさらに内線テーブルを電子メールで送受信する機能を備えたものである。すなわち、ＩＰによる電子メールプロトコルを実行する電子メール回路３１０と４１０がそれぞれ追加されている。
【０１０９】
また、主電話制御装置３００は、ＬＡＮ１を経由して常時インターネット網２に接続されているが、主電話制御装置４００はインターネット網２にダイヤルアップ接続される。なお、図９では、主電話制御装置４００の内線電話機は省略されている。
【０１１０】
主電話制御装置４００は、ダイヤルアップ回線に接続されるので、ダイレクトにはインターネット網２から着信できない。したがって、この実施の形態では、電子メール機能によって内線テーブルの転送を行っている。
【０１１１】
次に主電話制御装置３００から４００への内線テーブルのメール転送動作について説明する。
【０１１２】
主電話制御装置３００において、電子メール回路３１０から制御回路１１０に転送指示があると、制御回路１１０は内線テーブル１３１から図２の内線テーブルを読み出し電子メール回路３１０に転送する。これにより電子メール回路３１０は、内線テーブルの情報を電子メール情報としてＬＡＮインタフェース回路１２０、ＬＡＮ１およびルータ３を経由してインターネット網２のメールサーバ６００に送信する。メールサーバ５０２は、受信した内線テーブルの電子メール情報を格納する。
【０１１３】
その後、メールサーバ５０２は、プッシュ型メールを実行し、主電話制御装置４００がメール受信可能であれば、格納された内線テーブルの電子メール情報を主電話制御装置４００のインタフェース回路１２０に送信する。ここで、インタフェース回路１２０は、ダイヤルアップ接続に適したものである。
【０１１４】
その電子メール情報はインタフェース回路１２０から電子メール回路４１０に受信され、内線テーブルとして制御回路１１０に渡される。これにより、制御回路１１０は、主電話制御装置３００の内線テーブルを内線テーブル１３１に格納する。
【０１１５】
次に主電話制御装置４００から３００への内線テーブルのメール転送動作について説明する。
【０１１６】
主電話制御装置４００において、電子メール回路４１０から制御回路１１０に転送指示があると、制御回路１１０は、インターネット網２にダイヤルアップ接続するようインタフェース回路１２０を制御する。
【０１１７】
ダイヤルアップによりインターネット網２に接続されると、制御回路１１０は内線テーブル１３１から図２の内線テーブルを読み出し電子メール回路４１０に転送する。これにより電子メール回路４１０は、内線テーブルの情報を電子メール情報としてインタフェース回路１２０を経由してインターネット網２のメールサーバ６００に送信する。メールサーバ５０２は、受信した内線テーブルの電子メール情報を格納する。
【０１１８】
その後、メールサーバ５０２は、格納された内線テーブルの電子メール情報を主電話制御装置３００のＬＡＮインタフェース回路１２０にルータ３及びＬＡＮ１を介して送信する。
【０１１９】
その電子メール情報はＬＡＮインタフェース回路１２０から電子メール回路３１０に受信され、内線テーブルとして制御回路１１０に渡される。これにより、制御回路１１０は、主電話制御装置４００の内線テーブルを内線テーブル１３１に格納する。
【０１２０】
この第２の実施の形態によれば、主電話制御装置の内線テーブルを互いに交換することができる。
【０１２１】
これにより、主電話制御装置４００の内線電話機から主電話制御装置３００の図示しない内線電話機に発信するとき、その電話機２００、２０１のニックネームを内線電話機から入力して接続要求することができる。この場合の接続動作は、前述した外部電話機との通話の動作に対応する。
【０１２２】
ただし、主電話制御装置３００の各電話機から主電話制御装置４００の内線電話機へのインターネット網による接続要求は、主電話接続装置４００がダイヤルアップ回線に接続されているのでできない。
【０１２３】
なお、第２の実施の形態の変形例として、電子メールプロトコルの代わりにインターネットのＬＤＡＰ（ライト・ウェイト・ディレクトリ・アクセス・プロトコル：ＲＦＣ２２５１から２２５６で規定されている）を使って内線テーブルを転送しても良い。
【０１２４】
（他の変形例）：
以上説明した実施の形態において、主電話制御装置１００、３００、４００は、いずれもボタン電話装置の１つの構成要素として機能しているが、同一の機能を有するものであれば、ターミナルアダプタや他のマルチメディアスイッチに構成されていても良い。
【０１２５】
また、内線電話機や外部電話機は、電話専用機でなくても、特許請求の範囲に記載された電話機としては電話機能を有する他の通信装置やコンピュータなどのデータ処理装置などを含むものである。
【０１２６】
また、電話機と主電話制御装置とを接続するローカルネットワークは、ＬＡＮに限らず、他の有線ローカルネットワークや無線信号による無線ローカルネットワークでも良い。後者の場合、電話機や主電話制御装置に無線ローカルネットワークに対応した通信プロトコルを実行する無線通信手段が必要となる。
【０１２７】
主電話制御装置のメモリ回路は、情報記憶媒体であれば何でも良い。
【０１２８】
ニックネームのユーザ識別部の（呼称）は、電話機の使用者名に対応する名称のみならず、主電話制御装置１００のネームたとえば、「総務」としてニックネームを作成しても良い。これで、ニックネームは「総務１００＠ｓｏｈｏ−ｉｐ．ａｂｃ．ｃｏ．ｊｐ」となり、部門がわかりやすくなる。このニックネームを電話機２００の表示に「総務１００」と出るとさらにわかりやすさが増す。また、通信先に「総務１００」とネームが送信できるので、そのように使ってもよい。
【０１２９】
呼称に相当するユーザ識別部３００は、その部分をさらに分けて扱っても良い。たとえば、「交換機名＋ユーザ名」に分けても良い。これにより、総務交換機配下なら「総務  小林」、営業交換機配下なら「営業  小林」と表記でき、ユーザの識別性が上がる。
【０１３０】
さらに、同じ電話番号に対して、複数のニックネームが付いても良い。たとえば「総務  小林１００＠・・・」や「総務  田中１００＠・・・」として、複数人で１台の電話機をシェアして使っても良い。」
また、ニックネームとしてメールで扱えるアドレス形式が使用され電話機毎に付与されるので、ショートメールの自動伝送サービス等のメール連携のアプリケーションを各電話機および主電話制御装置の制御回路に備えることで、システム起動時から提供（電話機へのメールアカウント登録無く自動設定）できるメリットが得られる。
【０１３１】
【発明の効果】
以上説明したように、本発明は、各内線電話機のニックネームとして主電話制御装置に割り当てられたグローバルなドメイン名を利用し、また主電話制御装置は内線電話機個別にそのドメイン名を含むユニークなニックネームと対応づけてＩＰアドレスを管理することにより、ＩＰアドレスの枯渇の問題を解決する。
【０１３２】
したがって、主電話制御装置１００でニックネーム毎にＩＰアドレスが割り当てられ、管理されるから、ＬＡＮやＩＰのコードを知らなくても、ニックネームによって電話機の管理ができる。
【０１３３】
また、ニックネームにグローバルなドメイン名を有することにより外部からアドレス検索ができ、この効果でインターネットを介した通話時の相手探しが容易になる。
【０１３４】
つまり、ドメイン名をＩＳＰから割り当てられたものを使うとインターネット上のどのネームサーバからも検索でき、ドメイン名で示された、主電話制御装置までだれだれを呼びたいとする問い合わせが来る。最後の電話機端末識別は、主電話制御装置で行うため、その先のアドレスは、インターネット上から割り当てられた物でなくて良い。
【０１３５】
この為、接続してすぐ使える（アドレスの申請不要・アドレス自動設定の２面から来る）、アドレス管理が簡単であり、またインターネット上の電話から検索できるので、接続性が上がる。
【０１３６】
また、本発明では、ＩＰアドレス割り当て手段で、ＬＡＮ上の内線電話機のＩＰアドレスを管理する場合、ニックネームで電話機毎のＩＰアドレスを管理することで、  以下の効果を奏する。
【０１３７】
（１）電話機の電源ＯＮ／ＯＦＦやＬＡＮからの抜き差し、座席移動やフローア移動、回線傷害等が有って、自動でのＩＰアドレスアサインが変わっても電話機の利用者をニックネームで、電話機を特定出来る。
（２）１台の電話装置で複数の人にユニファイドサービスが提供できる。
【０１３８】
（３）同じ電話機に対するＩＰアドレスが変わっても、利用者単位で正しい履歴や管理情報が残せる。
【０１３９】
（４）１台の電話機に、１つのニックネームの場合、その電話機をネットワーク上で移動してもその人の電話として使える。
【０１４０】
（５）電話機が故障して交換しても、同じニックネームを使うとユーザ単位の管理が継続できる。
【０１４１】
（６）複数の電話機があって、席を移動しても、ニックネームを入れることで
自分の電話きとしてつかえ、ユニファイドサービスの提供が受けられる。
【０１４２】
本発明では、また、ニックネームとして、（呼称）（電話番号）＠（ドメイン名）ように識別情報にグローバルドメイン名を付けた形態を使うことで、メール連携のアプリケーションを容易に設定できるメリットが得られる。
【０１４３】
さらに、本発明では、インターネットを経由した外部の発信者は、ニックネームによってインターネットを介し相手を指定すること（内線電話機を個別に指定すること）ができる。
【０１４４】
本発明では、さらにＬＤＡＰや電子メールによる転送通信機能を備えることにより、ニックネームを含む内線テーブルを、インターネット介してダイレクト送信出来ない装置へ、ＬＤＡＰや電子メールを介して伝え、常時回線がつながっていない主電話制御装置との間でも容易に、インターネットを介した接続が出来る。
【図面の簡単な説明】
【図１】本発明の電話通信装置の第１の実施の形態を示すブロック図である。
【図２】図１の主電話制御装置のメモリ回路に格納される内線テーブルの内容を示す図である。
【図３】図１の電話機で作成される登録要求時のＩＰパケットを説明するための図である。
【図４】図１の主電話制御装置のメモリ回路に格納される履歴情報テーブルの内容を示す図である。
【図５】図１の電話機で作成される相手電話機との接続要求時のＩＰパケットを説明するための図である。
【図６】図１の電話通信装置の電話機の構成を示すブロック図である。
【図７】図１の電話通信装置において外部電話機との接続を示すブロック図である。
【図８】外部電話機との通信シーケンスを示すシーケンス図である。
【図９】本発明の電話通信装置の第２の実施の形態を示すブロック図である。
【符号の説明】
１    ＬＡＮ
２    インターネット網
３    ルータ
１００    主電話制御装置
２００    電話機
２０１    電話機
１１０    制御回路
１２０    ＬＡＮインタフェース回路
１２１    ヘッダ解析回路
１２２    ＩＰアドレス割り当て回路
１２３    入力回路
１３０    メモリ回路
１３１    内線テーブル
１３２    履歴情報テーブル
【図１】
0003576906.tif 000002
【図２】
0003576906.tif 000003
【図３】
0003576906.tif 000004
【図４】
0003576906.tif 000005
【図５】
0003576906.tif 000006
【図６】
0003576906.tif 000007
【図７】
0003576906.tif 000008
【図８】
0003576906.tif 000009
【図９】
0003576906.tif 000010